(57)【要約】【課題】  作業性を良好にし得る収納ポケットの製造方法を提供する。【解決手段】  中台紙６が挿入された収納ポケット１の開口部１２を形成する際に、裏側シート５、中台紙６、表側シート４が順次積層された部分において、表裏方向から切断刃１１を押し込み、中台紙６を残してシート４，５部分のみを切断することにより、中台紙６を切断することなく開口部１２を形成する。その後、ストッパ１８部分まで搬送し、中台紙６の前端をストッパ１８に当て、開口部１２から露出した中台紙６の一部をポケット１内の押し込む。これにより、中台紙６の挿入作業性を良好とする。【選択図】  図１
2006181772.tif 000002
【特許請求の範囲】
【請求項１】
表裏のシート間に中台紙を挿入し、一縁に開口部が形成された有底袋状の収納ポケットを製造する方法において、前記表裏のシートを切断刃により切断して前記開口部を形成する際に、中台紙が位置する部分で中台紙を挟む表裏のシートのみを切断して開口部を形成することを特徴とする収納ポケットの製造方法。
【請求項２】
表側シートとこれに対向する裏側シートとを水平方向に搬送し、表裏のシート間に搬送方向に直交する側方から複数の中台紙を搬送方向に間隔をおいて挿入し、搬送方向で隣り合う中台紙の間および表裏シートの側方部分で表裏のシート同士を溶着すると共に、搬送方向で隣り合う中台紙の間の溶着部を切断して、表裏のシートを搬送方向の前後に切り離し、さらに切り離した表裏シートの搬送方向前側部又は後側部の中台紙が位置する部分で中台紙を挟む表裏のシートのみを切断刃により切断して開口部を形成し、有底袋状とすることを特徴とする収納ポケットの製造方法。
【請求項３】
表裏のシート間に挿入する中台紙の挿入間隔を中台紙の長手方向寸法よりも大きく設定すると共に、中台紙の長手方向の端縁から離間させた状態で搬送方向で隣り合う中台紙間を溶着し、次いで、その溶着部の切断し表裏のシートを切り離して前記開口部を形成して有底袋状のポケットを形成した後、中台紙を搬送方向でポケット内の押し込むことを特徴とする請求項２に記載の収納ポケットの製造方法。
【請求項４】
前記ポケットの開口部を形成する際に、開口部の口縁に沿って切り欠かれ中台紙の一部が表出する切欠部を形成することを特徴とする１〜３のいずれかに記載の収納ポケットの製造方法。
【請求項５】
前記切断刃は、ポケットの開口部を形成する際に、表裏のシート厚分だけ押し込んで切断することを特徴とする請求項１〜４のいずれかに記載の収納ポケットの製造方法。
【発明の詳細な説明】
【技術分野】
【０００１】
本発明は、中台紙を挿入した収納ポケットの製造方法に関するものである。
【背景技術】
【０００２】
この種の収納ポケット（クリアポケット）の製造方法として、特許文献１には、扁平に折り畳まれると共に長手方向の開口部が形成されて裏側シートと表側シートとが形成されたフィルムを水平方向に搬送し、前記開口部から表側シートと裏側シートの間に搬送方向に間隔をおいて複数の中台紙を挿入し、搬送方向で隣り合う中台紙の間で表裏のシート同士を溶着すると共に、その溶着部を切断して搬送方向の前後に切り離し、さらに中台紙同士の間で表裏のシートを切断刃により切断して有底袋状のポケットの開口部を形成することが開示されている。
【０００３】
一方、特許文献２には、有底袋状のポケットの開口部に長楕円の半円弧状の切欠部を備え、ポケットに収納した中台紙の一部を切欠部内に表出させたポケット状ファイル用具が開示されている。
【特許文献１】特開平8−72454号公報
【特許文献２】特開2001−26191号公報
【発明の開示】
【発明が解決しようとする課題】
【０００４】
ところで、特許文献１に開示された収納ポケットの製造方法は、ポケットの開口部から中台紙が表出していない一般的な収納ポケットに適用できる技術であるが、その製造方法をそのまま特許文献２に示すような中台紙の一部を切欠部内に表出させる収納ポケットの製造方法として採用した場合、切欠部を形成する際に中台紙の一部も切断してしまうことになる。そのため、特許文献１に開示された収納ポケットの製造方法は、特許文献２に開示の収納ポケットを製造する方法としては不向きである。
【０００５】
本出願人が知る限り、特許文献２に示す切欠部を有する収納ポケットの場合、開口部に切欠部を有する有底袋状のポケットを形成した後、中台紙を手作業で挿入している。そのため、中台紙入り収納ポケットの製造時における作業性が悪くなるといった難点があった。
【０００６】
本発明は、上記に鑑み、製造時の作業性を良好にし得る収納ポケットの製造方法の提供を目的とするものである。
【課題を解決するための手段】
【０００７】
上記目的を達成するため、本発明は、表裏のシート間に中台紙を挿入し、一縁に開口部が形成された有底袋状の収納ポケットを製造する方法において、前記表裏のシートを切断刃により切断して前記開口部を形成する際に、中台紙が位置する部分で中台紙を挟む表裏のシートのみを切断して開口部を形成することを特徴とする。つまり、裏側シート、中台紙、表側シートが順次積層された部分において、表裏方向から切断刃によりシート部分のみを切断することにより、中台紙を切断することなく、開口部を形成する。そのため、中台紙の挿入時期を特許文献１に示す場合と同時期に行うことができ、有底袋状のポケットを形成した後に中台紙を挿入する場合に比べて作業性が良好となる。
【０００８】
より具体的な製造方法を例示すると、表側シートとこれに対向する裏側シートとを水平方向に搬送し、表裏のシート間に搬送方向に直交する側方から複数の中台紙を搬送方向に間隔をおいて挿入し、搬送方向で隣り合う中台紙の間および表裏シートの側方部分で表裏のシート同士を溶着すると共に、搬送方向で隣り合う中台紙の間の溶着部を切断して、表裏のシートを搬送方向の前後に切り離し、さらに切り離した表裏シートの搬送方向で前側部又は後側部の中台紙が位置する部分で中台紙を挟む表裏のシートのみを切断刃により切断して開口部を形成し有底袋状とする。
【０００９】
この場合、ポケットの開口部を形成した後において、中台紙が開口部で露出したままになる。そこで、表裏のシート間に挿入する中台紙の挿入間隔を中台紙の長手方向寸法よりも大きく設定すると共に、中台紙の長手方向の端縁から離間させた状態で搬送方向で隣り合う中台紙間を溶着し、次いで、その溶着部の切断し表裏のシートを切り離して前記開口部を形成して有底袋状のポケットを形成した後、中台紙を搬送方向でポケット内の押し込むことで、中台紙をポケット内に挿入することができる。
【００１０】
上記のような開口部の形成方法は、特許文献１に示すような一般的な開口部形状のものであっても適用することができるが、ポケットの開口部を形成する際に、開口部の口縁に沿って切り欠かれ中台紙の一部が表出する切欠部を形成した開口部形状のものに適用するのが好ましい。このような切欠部を有する開口部形状であっても中台紙を押し込むことで、中台紙の一部を切欠部内に表出した状態でポケットに収納することができる。
【００１１】
また、上記のような中台紙を切断せずにシートのみを切断する場合、切断刃としては、表裏のシート厚分だけ切断刃を押し込んでシートを切断することになる。この切断刃の押し込み量は、切断刃の端部に切断刃の押し込み量を規制する規制手段を設けることにより調整することができる。
【００１２】
ここで、切断するシートの素材は、一般的に熱可塑性の透光性樹脂が採用されるが、その他の紙素材や合成樹脂材のいずれであってもよく、また、樹脂素材であっても透光性の有無は問わず、各種素材に適用することができる。また、中台紙の素材も各種素材、例えば、紙素材や合成樹脂素材を採用することができる。
【００１３】
さらに、切断刃による切断方法は、シート素材が熱可塑性樹脂の場合には切断刃を加熱した溶断手法を採用し、また、押し切りによる切断が好ましいが、これらの切断方法に限定されるものではなく、各種切断方法を採用することができる。
【発明の効果】
【００１４】
以上のとおり、本発明によると、裏側シート、中台紙、表側シートが順次積層された部分において、表裏方向から切断刃によりシート部分のみを切断することで、中台紙を切断することなく、開口部を形成することができるので、ポケットの製造を容易に行うことができる。
【発明を実施するための最良の形態】
【００１５】
以下、本発明の実施形態を図面に基づいて説明する。図１は本発明の収納ポケットの製造工程を示す全体概略図である。図１において、その説明は製造の流れを分かり易くするため、一つのラインのみを例示したが、実際には、特許文献１に示すように左右対称に２ラインを組み込んだ製造設備であってもよい。
【００１６】
図１に示すように、収納ポケット１の製造方法は、偏平に折り畳まれて側方が開放した透明フィルム２を水平方向に搬送しながら、中台紙挿入工程で、フィルム２を構成する表側シート４と、裏側シート５との間に、フィルム２の搬送方向に間隔をおいてそれぞれ複数の中台紙６を挿入する。次に、熱溶着工程で、隣り合う中台紙６同士の間と表裏シート４，５の側方部とを、収納ポケット１の所定寸法に合わせて熱溶着する。
【００１７】
この際、中台紙６の挿入間隔は、後述のように、ポケット１の開口部１２の形成後に中台紙６を開口部１２からポケット内部に押し込むため、その押込み代をみて中台紙６同士の間隔と溶着部７を設定する必要がある。溶着部７は、搬送方向で中台紙６の長手方向の端縁から離間させた位置に設定しておく。
【００１８】
表裏シート４，５を溶着し、冷却工程で表裏シート４，５を冷却した後、穴明け工程で、一側縁部に綴じ用の穴部８を打ち抜く。図１において、符号２１は穴部補強テープを示し、この補強テープ２１は表裏シート４，５の側方部間に挿入されて、表裏シートと共に溶着される。穴明工程後は、適宜、角落とし工程で綴じ代側の長手方向両端の角落とし加工９を施す。そして、切断工程で、搬送方向で後側の溶着部７を第１の切断刃１０で切断すると共に第２の切断刃１１で前側の溶着部７を溶断して開口し、ポケット１の開口部１２を形成する。この際、開口部１２の口縁に沿って切り欠かれ中台紙６の一部が表出する切欠部１３を同時に形成する。
【００１９】
ポケット１の開口部１２を形成する際は、中台紙６が位置する部分で中台紙６を挟む表裏シート４，５のみを第２の切断刃１１で溶断する。
【００２０】
図２（ａ）は切欠部１３を有する開口部１２の切り取り形状を示す図、（ｂ）は同図（ａ）の切り取り形状を達成するために適切な切り取り形状を示す図である。図２（ａ）の切り取り形状にするために、図２（ｂ）には、搬送方向と直交する左右方向の中心位置に搬送方向に沿って切断する捨て刃１４（図１および図３参照）の切断線１４ａを示す。この切断線１４ａに沿って切り取り片１５を左右に分離した状態で切り取れば、搬送するシート上に残渣が残ることなく、左右方向に排出することができる。
【００２１】
図３は第２の切断刃１１の斜視図である。第２の切断刃１１は、基台１６上に設置され、その両端が第２の切断刃１１の押し込み量を規制する規制手段としての規制片１７で保持されている。第２の切断刃１１は、開口部の所望形状に沿うように、中央が湾曲した形状とされ、刃高さは、両側の規制片１７の高さと同程度か、若しくは中台紙６の厚みの１/２程度後退した高さになっている。また、第２の切断刃１１は、表裏シート４，５を溶断するため、基台１６に図示しないヒータが内蔵され、第２の切断刃１１を加熱できるようになっている。
【００２２】
図４は切断の原理を模擬的に示す図である。図に示すように、一対の第２の切断刃１１を互いに対向させて表裏のシート４，５を挟むように設置し、これらを互いに接近するようにシート４，５に押し込めば、表裏の規制片１７同士が当たって切断刃１１の表裏方向の押し込み量が規制され、中台紙４を切断することなく、所望の形状に表裏のシート４，５を溶断し、切り取り片１５を同時に引取り除くことができる。
【００２３】
表裏シート４，５のシート厚みは例えば５０〜７０μｍ程度であり、また、中台紙が紙素材である場合、その厚さは５０〜２００μｍ程度であるため、対向する第２の切断刃１１の押し込み時のクリアランスとしては５０〜２００μｍ程度になるように規制片１７を設定しておけばよい。また、中台紙６が表裏シート４，５とは別素材である紙などの素材を使用すれば、中台紙６が切断されることなく、中台紙６に切断刃１１の押し込み跡が残る程度である。
【００２４】
このように切断して開口部１２を形成した収納ポケット１は、次工程でストッパ１８部分まで搬送すれば、中台紙６の前端がストッパ１８に当たり、開口部１２から露出した中台紙６の一部をポケット１内の押し込むことができ、これにより、中台紙６がポケット１内に挿入されて完成する。
【００２５】
なお、本発明は上記実施形態に限定されるものではなく、本発明の範囲内で多くの修正・変更を加えることができるのは勿論である。例えば、上記実施形態では、表裏のシート４，５は、シート状の透明フィルムを折り畳むことによって、開口部を有する表側シートと裏側シートとを形成する例を示したが、チューブ状のフィルムから表裏のシートを形成してもよく、また、互いに分離した表側シートと裏側シートであってもよい。互いに分離した表側シートと裏側シートを使用する場合には、その片側の側辺を溶着した後に、他方の開放端より中台紙を挿入するようにすればよい。
【図面の簡単な説明】
【００２６】
【図１】本発明の収納ポケットの製造工程を示す全体概略図
【図２】（ａ）は開口部の切り取り形状を示す図、（ｂ）は同図（ａ）の切り取り形状を達成するために適切な切り取り形状を示す図
【図３】第２の切断刃の斜視図
【図４】切断の原理を模擬的に示す図
【符号の説明】
【００２７】
１    収納ポケット
２    フィルム
３    開口部
４    表側シート
５    裏側シート
６    中台紙
７    溶着部
８    穴部
１０    第１の切断刃
１１    第２の切断刃
１２    開口部
１３    切欠部
１４    捨て刃
１５    切取り片
１６    基台
１７    規制片
１８    ストッパ
【図１】
2006181772.tif 000003
【図２】
2006181772.tif 000004
【図３】
2006181772.tif 000005
【図４】
2006181772.tif 000006